(57)【要約】【課題】静止画を撮影する前に撮影される静止画と同じ画像をディスプレイに表示し、動画を撮影する前に撮影される動画と同じ画像をディスプレイに表示することができる電子機器、電子機器の撮影制御方法、および電子機器の撮影制御プログラムを提供する。【解決手段】モード設定部３は、カメラ撮影ボタンへの物体の近接が検出されたときに撮影モードをカメラモードに設定し、ビデオ撮影ボタンへの物体の近接が検出されたときに撮影モードをビデオモードに設定する。表示制御部４は、撮影モードがカメラモードのときには、カメラに入力された画像を第１のアスペクト比でディスプレイに表示し、撮影モードがビデオモードのときには、入力された画像を第２のアスペクト比でディスプレイに表示する。【選択図】図１
2016187105.tif 000002
【特許請求の範囲】
【請求項１】
カメラと、
カメラ撮影ボタンおよびビデオ撮影ボタンを表示可能に構成されたディスプレイと、
前記ディスプレイ上に配置されるように構成されたタッチパネルと、
前記カメラ撮影ボタンへの物体の近接が検出されたときに撮影モードをカメラモードに設定し、前記ビデオ撮影ボタンへの物体の近接が検出されたときに撮影モードをビデオモードに設定するように構成されたモード設定部と、
前記撮影モードが前記カメラモードのときには、前記カメラに入力された画像を第１のアスペクト比で前記ディスプレイに表示し、前記撮影モードが前記ビデオモードのときには、前記入力された画像を第２のアスペクト比で前記ディスプレイに表示するように構成された表示制御部と、
前記カメラ撮影ボタンに対応する前記タッチパネルの箇所がタッチされたことを検出したときには、前記カメラに前記第１のアスペクト比の静止画撮影を実行させ、前記ビデオ撮影ボタンに対応する前記タッチパネルの箇所がタッチされたことを検出したときには、前記カメラに前記第２のアスペクト比の動画撮影を実行させるように構成された撮影制御部と備えた電子機器。
【請求項２】
前記撮影制御部は、前記タッチパネルの静電容量が第１の閾値以上となったときに、前記タッチされたことを検出するように構成され、
前記モード設定部は、前記タッチパネルの静電容量が前記第１の閾値未満かつ第２の閾値以上となったときに、前記カメラ撮影ボタンまたは前記ビデオ撮影ボタンへの近接を検出するように構成される、請求項１記載の電子機器。
【請求項３】
前記モード設定部は、前記カメラ撮影ボタンへの物体の近接によって前記撮影モードを前記カメラモードに設定した後、前記カメラ撮影ボタンに対応する前記タッチパネルの箇所がタッチされる前に、前記ビデオ撮影ボタンへの物体の近接が検出された場合には、前記撮影モードを前記ビデオモードに切り替えるように構成される、請求項１記載の電子機器。
【請求項４】
前記モード設定部は、前記ビデオ撮影ボタンへの物体の近接によって前記撮影モードを前記ビデオモードに設定した後、前記ビデオ撮影ボタンに対応する前記タッチパネルの箇所がタッチされる前に、前記カメラ撮影ボタンへの物体の近接が検出された場合には、前記撮影モードを前記カメラモードに切り替えるように構成される、請求項１記載の電子機器。
【請求項５】
前記撮影モードが前記ビデオモードに設定されたときには、前記表示制御部は、第１の記録モードボタンと第２の記録モードボタンを前記ディスプレイに表示するように構成され、
前記撮影制御部は、前記第１の記録モードボタンに対応する前記タッチパネルの箇所がタッチされたこと検出したときには、前記カメラに第１の記録モードで動画撮影を実行させ、前記第２の記録モードボタンに対応する前記タッチパネルの箇所がタッチされたこと検出したときには、前記カメラに第２の記録モードで動画撮影を実行させるように構成される、請求項１記載の電子機器。
【請求項６】
前記撮影制御部は、前記第１の記録モードにおいて、前記カメラに容量制限なしで動画撮影を実行させ、前記第２の記録モードにおいて、動画撮影によって生成されたデータの容量が所定の容量に達すると、前記カメラに動画撮影を停止させるように構成される、請求項５記載の電子機器。
【請求項７】
前記表示制御部は、前記撮影モードが前記カメラモードのときには、前記カメラに入力された画像に対してエフェクト処理して表示するように構成される、請求項１記載の電子機器。
【請求項８】
前記撮影モードが前記カメラモードに設定されたときには、前記撮影制御部は、前記カメラにオートフォーカス処理を開始させるように構成される、請求項１記載の電子機器。
【請求項９】
前記モード設定部は、前記ビデオ撮影ボタンまたは前記カメラ撮影ボタンへの物体の近接によって前記撮影モードを前記ビデオモードまたは前記カメラモードに設定した後、前記ビデオ撮影ボタンまたは前記カメラ撮影ボタンに対応する前記タッチパネルの箇所がタッチされる前に、前記ビデオ撮影ボタンまたは前記カメラ撮影ボタンへの物体の近接が検出されなくなった場合には、前記撮影モードをデフォルトのモードに戻すように構成される、請求項１記載の電子機器。
【請求項１０】
前記モード設定部は、前記ビデオ撮影ボタンまたは前記カメラ撮影ボタンへの物体の近接によって前記撮影モードを前記ビデオモードまたは前記カメラモードに設定した後、前記ビデオ撮影ボタンまたは前記カメラ撮影ボタンに対応する前記タッチパネルの箇所がタッチされる前に、前記ビデオ撮影ボタンまたは前記カメラ撮影ボタンへの物体の近接が検出されなくなった場合には、最後に物体の近接が検出された際に設定した前記撮影モードを維持するように構成される、請求項１記載の電子機器。
【請求項１１】
前記第２の閾値は、カメラアプリケーションが選択されたときのみ有効となる、請求項２記載の電子機器。
【請求項１２】
カメラと、カメラ撮影ボタンおよびビデオ撮影ボタンを表示可能に構成されたディスプレイと、前記ディスプレイ上に配置されるように構成されたタッチパネルとを備えた電子機器の撮影制御方法であって、
前記カメラ撮影ボタンへの物体の近接が検出されたときに撮影モードをカメラモードに設定し、前記ビデオ撮影ボタンへの物体の近接が検出されたときに撮影モードをビデオモードに設定するステップと、
前記撮影モードが前記カメラモードのときには、前記カメラに入力された画像を第１のアスペクト比で前記ディスプレイに表示し、前記撮影モードが前記ビデオモードのときには、前記入力された画像を第２のアスペクト比で前記ディスプレイに表示するステップと、
前記カメラ撮影ボタンに対応する前記タッチパネルの箇所がタッチされたことを検出したときには、前記カメラに前記第１のアスペクト比の静止画撮影を実行させ、前記ビデオ撮影ボタンに対応する前記タッチパネルの箇所がタッチされたことを検出したときには、前記カメラに前記第２のアスペクト比の動画撮影を実行させるステップとを備えた電子機器の撮影制御方法。
【請求項１３】
カメラと、カメラ撮影ボタンおよびビデオ撮影ボタンを表示可能に構成されたディスプレイと、前記ディスプレイ上に配置されるように構成されたタッチパネルとを備えた電子機器の撮影制御プログラムであって、前記電子機器に、
前記カメラ撮影ボタンへの物体の近接が検出されたときに撮影モードをカメラモードに設定し、前記ビデオ撮影ボタンへの物体の近接が検出されたときに撮影モードをビデオモードに設定するステップと、
前記撮影モードが前記カメラモードのときには、前記カメラに入力された画像を第１のアスペクト比で前記ディスプレイに表示し、前記撮影モードが前記ビデオモードのときには、前記入力された画像を第２のアスペクト比で前記ディスプレイに表示するステップと、
前記カメラ撮影ボタンに対応する前記タッチパネルの箇所がタッチされたことを検出したときには、前記カメラに前記第１のアスペクト比の静止画撮影を実行させ、前記ビデオ撮影ボタンに対応する前記タッチパネルの箇所がタッチされたことを検出したときには、前記カメラに前記第２のアスペクト比の動画撮影を実行させるステップとを実行させる、電子機器の撮影制御プログラム。
【発明の詳細な説明】
【技術分野】
【０００１】
本開示は、電子機器、電子機器の撮影制御方法、および電子機器の撮影制御プログラムに関する。
【背景技術】
【０００２】
従来から、静止画撮影と動画撮影の両方が可能な電子機器が知られている。
特許文献１には、静止画を撮影するか動画を撮影するかに係らず、ディスプレイに動画を表示し、かつ小さなサイズで静止画も表示するようにする電子機器が開示されている。  
【０００３】
このような電子機器において、ユーザは静止画を撮影する場合には、撮影する前に静止画を見ながら、電子機器の向きおよび位置を撮影する対象に合わせることができ、動画を撮影する場合には、撮影する前に動画を見ながら、電子機器の向きおよび位置を撮影する対象に合わせることができる、
【先行技術文献】
【特許文献】
【０００４】
【特許文献１】特開平８−３２１９８２号公報
【発明の概要】
【発明が解決しようとする課題】
【０００５】
しかしながら、特許文献１では、静止画の一部が動画によって隠れてしまい、ユーザは不便と感じる場合がある。
【０００６】
それゆえに、本開示の目的は、静止画を撮影する前に撮影される静止画と同じ画像をディスプレイに表示し、動画を撮影する前に撮影される動画と同じ画像をディスプレイに表示することができる電子機器、電子機器の撮影制御方法、および電子機器の撮影制御プログラムを提供することである。
【課題を解決するための手段】
【０００７】
一実施形態の電子機器は、カメラと、カメラ撮影ボタンおよびビデオ撮影ボタンを表示可能に構成されたディスプレイと、ディスプレイ上に配置されるように構成されたタッチパネルと、カメラ撮影ボタンへの物体の近接が検出されたときに撮影モードをカメラモードに設定し、ビデオ撮影ボタンへの物体の近接が検出されたときに撮影モードをビデオモードに設定するように構成されたモード設定部と、撮影モードがカメラモードのときには、カメラに入力された画像を第１のアスペクト比でディスプレイに表示し、撮影モードがビデオモードのときには、入力された画像を第２のアスペクト比でディスプレイに表示するように構成された表示制御部と、カメラ撮影ボタンに対応するタッチパネルの箇所がタッチされたことを検出したときには、カメラに第１のアスペクト比の静止画撮影を実行させ、ビデオ撮影ボタンに対応するタッチパネルの箇所がタッチされたことを検出したときには、カメラに第２のアスペクト比の動画撮影を実行させるように構成された撮影制御部と備える。
【発明の効果】
【０００８】
一実施形態の電子機器によれば、静止画を撮影する前に撮影される静止画と同じ画像をディスプレイに表示し、動画を撮影する前に撮影される動画と同じ画像をディスプレイに表示することができる。
【図面の簡単な説明】
【０００９】
【図１】実施の形態のスマートフォンの構成を表わす図である。
【図２】タッチパネルからユーザの指先までの距離と、タッチパネルの静電容量との関係を表わす図である。
【図３】撮影モードがカメラモードのときにディスプレイに表示される画像を表わす図である。
【図４】撮影モードがビデオモードのときにディスプレイに表示される画像を表わす図である。
【図５】方式１において、撮影モードがカメラモードに設定されているときに、ディスプレイに表示されるユーザインタフェースを表わす図である。
【図６】方式１において、撮影モードがビデオモードに設定されているときに、ディスプレイに表示されるユーザインタフェースを表わす図である。
【図７】方式２において、撮影モードがカメラモードおよびビデオモードに設定されているときに、ディスプレイに表示されるユーザインタフェースを表わす図である。
【図８】第１の実施形態における撮影モードの設定および撮影の動作手順を表わすフローチャートである。
【図９】第１の動作例を説明するための図である。
【図１０】第２の動作例を説明するための図である。
【図１１】第３の動作例を説明するための図である。
【図１２】第１の実施形態の変形例における撮影モードの設定および撮影の動作手順を表わすフローチャートである。
【図１３】第２の実施形態における撮影モードの設定および撮影の動作手順を表わすフローチャートである。
【図１４】記録モードの選択画面の例を表わす図である。
【発明を実施するための形態】
【００１０】
以下、実施の形態について図面を用いて説明する。以下の実施形態では、電子機器の一例として、スマートフォンを用いるが、本開示の電子機器はスマートフォンに限定されるものではない。たとえば、本開示の電子機器にディジタルカメラ、およびタブレット端末なども含まれる。
【００１１】
［第１の実施形態］
図１は、実施の形態のスマートフォン１の構成を表わす図である。
【００１２】
図１に示すように、スマートフォン１は、アンテナ１４と、無線通信部１３と、カメラ６と、ディスプレイ７と、タッチパネル２と、メモリ８と、スピーカ９と、マイク１０と、モード設定部３と、表示制御部４と、撮影制御部５と、タッチパネル制御部１１とを備える。
【００１３】
モード設定部３と、表示制御部４と、撮影制御部５とは、メモリ８に記憶されたプログラムを実行するＣＰＵ（Central Processing Unit）などによって実現されることができる。
【００１４】
無線通信部１３は、アンテナ１４を通じて基地局と通信することができる。
スピーカ９は、通話相手の音声などを出力することができる。
【００１５】
マイク１０は、スマートフォン１のユーザの音声などを受けることができる。
カメラ６は、被写体を撮影することができる。カメラ６は、静止画撮影および動画撮影の両方が可能である。
【００１６】
メモリ８は、カメラ６による動画撮影によって得られる動画のデータ、および静止画撮影によって得られる静止のデータを記憶することができる。
【００１７】
ディスプレイ７は、たとえば液晶ディスプレイによって構成されることができる。ディスプレイ７は、静止画撮影を選択するためのカメラ撮影ボタンおよび動画撮影を選択するためのビデオ撮影ボタンを表示することができる。
【００１８】
タッチパネル２は、ユーザからの入力を受け付けることができる。タッチパネル２は、静電容量方式のタッチパネルである。タッチパネル２は、ディスプレイ７の表面に設けられる。
【００１９】
図２は、タッチパネル２からユーザの指先までの距離と、タッチパネル２の静電容量との関係を表わす図である。
【００２０】
直線Ｌ１は、ユーザの指の移動によって変化するタッチパネル２の静電容量を表わす。ユーザの指先とタッチパネル２の距離が近くなるについて、ユーザの指先によって発生するタッチパネルの静電容量は増加する。
【００２１】
ユーザの指先がタッチパネル２に接触したか否かを判断するための閾値は、図２に示すＴＨ１である。本開示では、ＴＨ１をタッチ判定閾値と称することもある。
【００２２】
本開示では、カメラアプリケーションを実行中には、ユーザの指先がタッチパネル２に接触したか否かだけではなく、ユーザの指先が、一定距離ｄ１まで近づいたか否かも判断する。タッチパネル制御部１１は、この判断のために、カメラアプリケーションが選択されたときには、図２に示す閾値ＴＨ２を有効とする。ＴＨ１＞ＴＨ２である。本開示では、ＴＨ２を近接判定閾値と称することもある。
【００２３】
閾値ＴＨ１は、ユーザの指先がタッチパネル２にタッチしたときの静電容量の値よりもノイズマージンの量だけ小さい値に設定され、閾値ＴＨ２は、ユーザの指先とタッチパネル２との距離がｄ１のときの静電容量の値よりもノイズマージンの量だけ小さい値に設定される。
【００２４】
図３は、撮影モードがカメラモードのときにディスプレイ７に表示される画像を表わす図である。図４は、撮影モードがビデオモードのときにディスプレイ７に表示される画像を表わす図である。
【００２５】
図３に示すように、表示制御部４は、撮影モードがカメラモードのときには、第１のアスペクト比（縦３：横４）でカメラ６に入力された画像をディスプレイ７に表示することができる。図４に示すように、表示制御部４は、撮影モードがビデオモードのときには、第２のアスペクト比（縦９：横１６）でカメラ６に入力された画像をディスプレイ７に表示することができる。
【００２６】
次に、方式１のユーザインタフェースを用いた撮影モードの設定および撮影の手順について説明する。
【００２７】
図５は、方式１において、撮影モードがカメラモードに設定されているときに、ディスプレイ７に表示されるユーザインタフェースを表わす図である。
【００２８】
図５に示すように、撮影モードがカメラモードのときには、カメラ撮影ボタン５１と切替ボタン５２とがディスプレイ７に表示される。
【００２９】
図６は、方式１において、撮影モードがビデオモードに設定されているときに、ディスプレイ７に表示されるユーザインタフェースを表わす図である。
【００３０】
図６に示すように、撮影モードがビデオモードのときには、ビデオ撮影ボタン５３と切替ボタン５２とがディスプレイ７に表示される。
【００３１】
撮影モードがカメラモードに設定されている場合、ディスプレイ７には、図５に示すようなボタンと、図３に示すような第１のアスペクト比の画像が表示されている。
【００３２】
ユーザが静止画を撮影したいときには、ユーザは、ディスプレイ７に表示される第１のアスペクト比の画像を見ながら、カメラ６の位置および向きを調節し、自身の指先でカメラ撮影ボタン５１の領域をタッチすることによって、第１のアスペクト比で静止画を撮影することができる。
【００３３】
一方、ユーザが動画を撮影したいときには、ユーザは、自身の指先で切替ボタン５２の領域をタッチすることによって、撮影モードをビデオモードに切り替えることができる。
【００３４】
撮影モードがビデオモードに設定されると、ディスプレイ７には、図６に示すようなボタンと、図４に示すような第２のアスペクト比の画像が表示される。
【００３５】
ユーザが動画を撮影したいときには、ユーザは、ディスプレイ７に表示される第２のアスペクト比の画像を見ながら、カメラ６の位置および向きを調節し、自身の指先でビデオ撮影ボタン５３の領域をタッチすることによって、第２のアスペクト比の動画を撮影することができる。
【００３６】
一方、ユーザが静止画を撮影したいときには、ユーザは自身の指先で切替ボタン５２の領域をタッチすることによって、撮影モードをカメラモードに切り替えることができる。
【００３７】
このように方式１では、現在の撮影モードがユーザが所望する撮影のモードと相違する場合には、ユーザは、撮影モードを切り替えるために切替ボタン５２をタッチして、その後、カメラ撮影ボタン５１またはビデオ撮影ボタン５３をタッチする必要がある。ユーザは、２回のタッチ操作をするのは煩わしいと感じる場合がある。
【００３８】
次に、方式２のユーザインタフェースを用いたモード設定および撮影の手順について説明する。
【００３９】
図７は、方式２において、撮影モードがカメラモードおよびビデオモードに設定されているときに、ディスプレイ７に表示されるユーザインタフェースを表わす図である。
【００４０】
図７に示すように、方式２では、撮影モードがビデオモードとカメラモードのいずれであっても、カメラ撮影ボタン５４、ビデオ撮影ボタン５５の両方が表示されることができる。
【００４１】
撮影モードがカメラモードに設定されているときには、さらに、図３に示すような第１のアスペクト比の画像がディスプレイ７に表示される。撮影モードがビデオモードに設定されているときには、図４に示すような第２のアスペクト比の画像がディスプレイ７に表示される。
【００４２】
初期状態は、撮影モードは、デフォルトのカメラモードに設定されているので、図３に示すような第１のアスペクト比の画像がディスプレイ７に表示されている。
【００４３】
ユーザが静止画を撮影したいときには、ユーザは、カメラ撮影ボタン５４に向けて、自身の指を移動させる。モード設定部３は、カメラ撮影ボタン５４への物体の近接が検出されたときに撮影モードをカメラモードに設定することができる。
【００４４】
具体的には、ユーザの指先とタッチパネル２との距離がｄ１となったときに、タッチパネル２の静電容量が近接判定閾値ＴＨ２に達する。モード設定部３は、タッチパネル２の静電容量が近接判定閾値ＴＨ２以上となった箇所が、カメラ撮影ボタン５４に対応する箇所の場合に、カメラ撮影ボタン５４への物体の近接を検出して、撮影モードをカメラモードに設定することができる。より詳しくは、モード設定部３は、それまでの撮影モードがカメラモードの場合には、カメラモードを維持し、それまでの撮影モードがビデオモードの場合には、撮影モードをカメラモードに切り替えることができる。
【００４５】
ユーザは、ディスプレイ７に表示される第１のアスペクト比の画像を見ながら、スマートフォン１の位置および向きを動かすことによって、撮影する対象を選択することができる。その後、ユーザは自身の指をさらにカメラ撮影ボタン５４に向けて移動させる。
【００４６】
ユーザの指先がタッチパネル２のカメラ撮影ボタン５４に対応する箇所にタッチしたときに、タッチパネル２の静電容量がタッチ判定閾値ＴＨ１に達する。撮影制御部５は、タッチパネル２の静電容量がタッチ判定閾値ＴＨ１以上となった箇所が、カメラ撮影ボタン５４に対応する箇所の場合に、カメラ６に第１のアスペクト比の静止画撮影を実行させることができる。
【００４７】
ユーザが動画を撮影したいときには、ユーザは、ビデオ撮影ボタン５５に向けて、自身の指を移動させる。モード設定部３は、ビデオ撮影ボタン５５への物体の近接が検出されたときに撮影モードをビデオモードに設定することができる。
【００４８】
具体的には、ユーザの指先とタッチパネル２との距離がｄ１となったときに、タッチパネル２の静電容量が近接判定閾値ＴＨ２に達する。モード設定部３は、タッチパネル２の静電容量が近接判定閾値ＴＨ２以上となった箇所が、ビデオ撮影ボタン５５に対応する箇所の場合に、ビデオ撮影ボタン５５への物体の近接を検出して、撮影モードをビデオモードに設定することができる。より詳しくは、モード設定部３は、それまでの撮影モードビデオモードの場合には、ビデオモードを維持し、それまでの撮影モードがカメラモードの場合には、撮影モードをビデオモードに切り替えることができる。
【００４９】
撮影モードがビデオモードに設定されると、表示制御部４によってディスプレイ７には、図４に示すような第２のアスペクト比の画像が表示される。
【００５０】
ユーザは、ディスプレイ７に表示される第２のアスペクト比の画像を見ながら、スマートフォン１の位置および向きを動かすことによって、撮影する対象を選択することができる。その後、ユーザは自身の指をさらにビデオ撮影ボタン５５に向けて移動させる。
【００５１】
ユーザの指先がタッチパネル２のビデオ撮影ボタン５５に対応する箇所にタッチしたときに、タッチパネル２の静電容量がタッチ判定閾値ＴＨ１に達する。撮影制御部５は、タッチパネル２の静電容量がタッチ判定閾値ＴＨ１以上となった箇所が、ビデオ撮影ボタン５５に対応する箇所の場合に、カメラ６に第２のアスペクト比で動画撮影を実行させることができる。
【００５２】
方式２では、切替ボタン５２をタッチして撮影モードを切り替えなくても、カメラ撮影ボタンまたはビデオ撮影ボタンに向けて指を移動させるだけで撮影モードをカメラモードまたはビデオモードに切り替えることができる。
【００５３】
図８は、第１の実施形態における撮影モードの設定および撮影の動作手順を表わすフローチャートである。このフローチャートの各ステップは、ＣＰＵが、メモリ８に記憶された撮影制御プログラムを実行することによって実現される。
【００５４】
図８を参照して、ステップＳ１０１において、タッチパネル制御部１１は、タッチ判定閾値ＴＨ１の値を設定することができる。
【００５５】
ステップＳ１０２において、ユーザがタッチパネル２への操作を通じて、カメラアプリケーションアイコンを選択した場合に（Ｓ１０２：ＹＥＳ）、処理がステップＳ１０３に進む。この選択には、タッチ判定閾値ＴＨ１が用いられる。
【００５６】
ステップＳ１０３において、タッチパネル制御部１１は、近接判定閾値ＴＨ２の値を設定することができる。
【００５７】
ステップＳ１０４において、モード設定部３は、撮影モードをデフォルトのカメラモードに設定することができる。
【００５８】
ステップＳ１０５において、表示制御部４は、カメラ６に入力される画像をカメラモードでディスプレイ７に表示することができる。具体的には、表示制御部４は、カメラ６から入力される画像を第１のアスペクト比で、かつカメラ用のエフェクト処理を加えてディスプレイ７に表示することができる。カメラ用のエフェクト処理には、たとえば、カメラ６からの画像を回転させる処理、ソフトフォーカスをかけた色彩に変更する処理、白黒の色彩に変更する処理、またはカメラ６からの画像の周縁にフレームを挿入する処理などを含む。
【００５９】
ステップＳ１０６において、タッチパネル２の静電容量がタッチ判定閾値ＴＨ１未満、かつ近接判定閾値ＴＨ２以上の場合に（Ｓ１０６：ＹＥＳ）、処理がステップＳ１０７に進む。
【００６０】
ステップＳ１０７において、静電容量がタッチ判定閾値ＴＨ１未満、かつ近接判定閾値ＴＨ２以上となった箇所がカメラ撮影ボタン５４が表示されている領域ＡＣの場合に（Ｓ１０７：ＹＥＳ）、処理がステップＳ１０８に進む。
【００６１】
ステップＳ１０８において、モード設定部３は、撮影モードをカメラモードに設定することができる。
【００６２】
ステップＳ１０９において、表示制御部４は、ステップＳ１０４と同様にして、カメラ６に入力される画像をカメラモードでディスプレイ７に表示することができる。
【００６３】
ステップＳ１１０において、静電容量が閾値ＴＨ２以上となった箇所がビデオ撮影ボタン５５が表示されている領域ＡＣの場合に（Ｓ１０７：ＮＯ、Ｓ１０８：ＹＥＳ）、処理がステップＳ１１１に進む。
【００６４】
ステップＳ１１１において、モード設定部３は、撮影モードをビデオモードに設定することができる。
【００６５】
ステップＳ１１２において、表示制御部４は、カメラ６に入力される画像をビデオモードでディスプレイ７に表示することができる。具体的には、表示制御部４は、カメラ６から入力される画像を第２のアスペクト比でディスプレイ７に表示することができる。
【００６６】
ステップＳ１１３において、タッチパネル２の静電容量がタッチ判定閾値ＴＨ１以上の場合に（Ｓ１１３：ＹＥＳ）、処理がステップＳ１１４に進む。
【００６７】
ステップＳ１１４において、静電容量がタッチ判定閾値ＴＨ１以上となった箇所がカメラ撮影ボタン５４が表示されている領域ＡＣの場合に（Ｓ１１４：ＹＥＳ）、処理がステップＳ１１５に進む。
【００６８】
ステップＳ１１５において、撮影制御部５は、カメラ６に第１のアスペクト比で静止画撮影させて、得られた静止画のデータをメモリ８に記憶させることができる。
【００６９】
ステップＳ１１６において、静電容量がタッチ判定閾値ＴＨ１以上となった箇所がビデオ撮影ボタン５５が表示されている領域ＡＶの場合に（Ｓ１１６：ＹＥＳ）、処理がステップＳ１１７に進む。
【００７０】
ステップＳ１１７において、撮影制御部５は、カメラ６に第２のアスペクト比で動画撮影させて、得られた動画のデータをメモリ８に記憶させることができる。
【００７１】
ステップＳ１１３において、タッチパネル２の静電容量がタッチ判定閾値ＴＨ１未満の場合に（Ｓ１０６：ＮＯ、Ｓ１１３：ＮＯ）、処理がステップＳ１０８に進む。
【００７２】
ステップＳ１１８において、現在の撮影モードがデフォルトのカメラモードでない場合に（Ｓ１１９：ＮＯ）、処理がステップＳ１１９に進む。
【００７３】
ステップＳ１１９において、モード設定部３は、撮影モードをデフォルトのカメラモードに設定することができる。
【００７４】
ステップＳ１２０において、表示制御部４は、ステップＳ１０４と同様にして、カメラ６に入力される画像をカメラモードでディスプレイ７に表示することができる。
【００７５】
ステップＳ１２１において、ユーザがタッチパネル２への操作を通じて、カメラアプリケーションの終了を選択した場合に（Ｓ１２１：ＹＥＳ）、処理が終了し、ユーザが、カメラアプリケーションの終了を選択しない場合に（Ｓ１２１：ＮＯ）、処理がステップＳ１０６に戻る。
【００７６】
図９は、第１の動作例を説明するための図である。
ユーザの指先が位置ＦＴ（１）に存在するときには、タッチパネル２の静電容量は、近接判定閾値ＴＨ２未満であり、撮影モードがデフォルトのカメラモードのままである。
【００７７】
その後、ユーザの指先が位置ＦＴ（２）まで移動したときには、ディスプレイ７のビデオ撮影ボタンが表示されている領域ＲＶの直上のタッチパネル２の領域ＡＶの静電容量は、近接判定閾値ＴＨ２以上、かつタッチ判定閾値ＴＨ１未満となる。この状態では、モード設定部３は、撮影モードをビデオモードに設定し、表示制御部４は、カメラ６に入力される画像をビデオモードでディスプレイ７に表示することができる。
【００７８】
その後、ユーザの指先が位置ＦＴ（３）まで移動したときには、ディスプレイ７のビデオ撮影ボタンが表示されている領域ＲＶの直上のタッチパネル２の領域ＡＶの静電容量は、タッチ判定閾値ＴＨ１以上となる。この状態では、撮影制御部５は、カメラ６に動画撮影を実行させることができる。
【００７９】
図１０は、第２の動作例を説明するための図である。
ユーザの指先が位置ＦＴ（１）に存在するときには、タッチパネル２の静電容量は、近接判定閾値ＴＨ２未満であり、撮影モードがデフォルトのカメラモードのままである。
【００８０】
その後、ユーザの指先が位置ＦＴ（２）まで移動したときには、ディスプレイ７のビデオ撮影ボタンが表示されている領域ＲＶの直上のタッチパネル２の領域ＡＶの静電容量は、近接判定閾値ＴＨ２以上、かつタッチ判定閾値ＴＨ１未満となる。この状態では、モード設定部３は、撮影モードをビデオモードに設定し、表示制御部４は、カメラ６に入力される画像をビデオモードでディスプレイ７に表示することができる。
【００８１】
その後、ユーザの指先がユーザの指先が位置ＦＴ（３）まで移動したときには、ディスプレイ７のカメラ撮影ボタンが表示されている領域ＲＣの直上のタッチパネル２の領域ＡＣの静電容量は、近接判定閾値ＴＨ２以上、かつタッチ判定閾値ＴＨ１未満となる。この状態では、モード設定部３は、撮影モードをカメラモードに設定し、表示制御部４は、カメラ６に入力される画像をカメラモードでディスプレイ７に表示することができる。
【００８２】
その後、ユーザの指先が位置ＦＴ（４）まで移動したときには、ディスプレイ７のカメラ撮影ボタンが表示されている領域ＲＣの直上のタッチパネル２の領域ＡＣの静電容量は、タッチ判定閾値ＴＨ１以上となる。この状態では、撮影制御部５は、カメラ６に静止画撮影を実行させることができる。
【００８３】
以上のように、第２の動作例では、モード設定部３は、ビデオ撮影ボタンへのユーザの指先の近接によって撮影モードをビデオモードに設定した後、ビデオ撮影ボタンに対応するタッチパネル２の箇所がユーザの指先でタッチされる前に、カメラ撮影ボタンへのユーザの指先の近接が検出された場合には、撮影モードをカメラモードに切り替える。
【００８４】
第２の動作例とビデオモードとカメラモードの関係が逆であってもよい。モード設定部３は、カメラ撮影ボタンへのユーザの指先の近接によって撮影モードをカメラモードに設定した後、カメラ撮影ボタンに対応するタッチパネル２の箇所がユーザの指先でタッチされる前に、ビデオ撮影ボタンへのユーザの指先の近接が検出された場合には、撮影モードをビデオモードに切り替えるものとしてもよい。
【００８５】
図１１は、第３の動作例を説明するための図である。
ユーザの指先が位置ＦＴ（１）に存在するときには、タッチパネル２の静電容量は、近接判定閾値ＴＨ２未満であり、撮影モードがデフォルトのカメラモードのままである。
【００８６】
その後、ユーザの指先が位置ＦＴ（２）まで移動したときには、ディスプレイ７のビデオ撮影ボタンが表示されている領域ＲＶの直上のタッチパネル２の領域ＡＶの静電容量は、近接判定閾値ＴＨ２以上、かつタッチ判定閾値ＴＨ１未満となる。この状態では、モード設定部３は、撮影モードをビデオモードに設定し、表示制御部４は、カメラ６に入力される画像をビデオモードでディスプレイ７に表示することができる。
【００８７】
その後、ユーザの指先が位置ＦＴ（３）まで移動したときには、タッチパネル２の静電容量は、すべての領域において、近接判定閾値ＴＨ２未満となる。この状態では、モード設定部３は、撮影モードをデフォルトのカメラモードに戻すことができる。
【００８８】
以上のように、第３の動作例では、モード設定部３は、ビデオ撮影ボタンまたはカメラ撮影ボタンへのユーザの指先の近接によって撮影モードをビデオモードまたはカメラモードに設定した後、ビデオ撮影ボタンまたはカメラ撮影ボタンに対応するタッチパネルの箇所がユーザの指先でタッチされる前に、ビデオ撮影ボタンまたはカメラ撮影ボタンへのユーザの指先の近接が検出されなくなった場合には、撮影モードをデフォルトのカメラモードに戻す。
【００８９】
以上のように、第１の実施形態によれば、ユーザは、静止画撮影するときに、カメラ撮影ボタンに向けて指を移動させるだけで、撮影モードをカメラモードに設定し、その後静止画撮影ができる。ユーザは、動画撮影するときに、ビデオ撮影ボタンに向けて指を移動させるだけで、撮影モードをビデオモードに設定し、その後動画撮影ができる。
【００９０】
［第１の実施形態の変形例］
この変形例では、モード設定部３は、ビデオ撮影ボタンまたはカメラ撮影ボタンへのユーザの指先の近接によって撮影モードをビデオモードまたはカメラモードに設定した後、ビデオ撮影ボタンまたはカメラ撮影ボタンに対応するタッチパネルの箇所がユーザの指先でタッチされる前に、ビデオ撮影ボタンまたはカメラ撮影ボタンへの物体の近接が検出されなくなった場合には、最後にユーザの指先の近接が検出された際に設定した撮影モードを維持するものとしてもよい。
【００９１】
図１１に示す動作例３で示したようにユーザの指先が移動した場合、この変形例では、モード設定部３は、撮影モードをビデオモードに維持する。
【００９２】
図１２は、第１の実施形態の変形例における撮影モードの設定および撮影の動作手順を表わすフローチャートである。このフローチャートの各ステップは、ＣＰＵが、メモリ８に記憶された撮影制御プログラムを実行することによって実現される。
【００９３】
図１２のフローチャートが、図８のフローチャートと相違する点は、図１３のフローチャートのステップＳ１１８〜Ｓ１２０に代えて、図１２のフローチャートは、ステップＳ３０１を含む点である。
【００９４】
ステップＳ１１３でＮＯの場合、ステップＳ３０１において、モード設定部３は、最後にユーザの指先の近接が検出された際に設定した撮影モードを維持することができる。
【００９５】
［第２の実施形態］
第２の実施形態では、撮影制御部５は、動画撮影時にロングビデオモード（第１の記録モード）とＭＭＳ(Multimedia Messaging Service）添付モード（第２の記録モード）のうちから記録モードを選択することを可能である。
【００９６】
撮影制御部５は、ロングビデオモードが選択された場合に、容量制限なしでカメラ６に動画撮影を実行させることができる。
【００９７】
撮影制御部５は、ＭＭＳ添付モードが選択された場合に、動画撮影によって生成されたデータの容量が所定の容量に達すると、カメラ６に動画撮影を停止させることができる。所定の容量は、ＭＭＳ規格において、または任意に定められた量である。
【００９８】
図１３は、第２の実施形態における撮影モードの設定および撮影の動作手順を表わすフローチャートである。図１４は、記録モードの選択画面の例を表わす図である。撮影モードがビデオモードに設定されると、図１４に示すような記録モードの選択画面が表示される。Ｌｏｎｇボタン５７（第１の記録モードボタン）がタッチされたときに、撮影制御部５は、動画撮影時にロングビデオモード（第１の記録モード）を選択する。ＭＭＳ添付ボタン５８（第２の記録モードボタン）がタッチされたときに、撮影制御部５は、動画撮影時にＭＭＳ添付モード（第２の記録モード）を選択する。
【００９９】
図１３のフローチャートの各ステップは、ＣＰＵが、メモリ８に記憶された撮影制御プログラムを実行することによって実現される。
【０１００】
図１３のフローチャートが、図８のフローチャートと相違する点は、図１３のフローチャートが、ステップＳ１１２の後にステップＳ２０１を含む点と、図８のステップＳ１１６、Ｓ１１７に代えて、図１３のフローチャートは、ステップＳ２０２〜Ｓ２０５を含む点である。
【０１０１】
ステップＳ２０１において、表示制御部４は、ビデオモードに設定されたときには、図１４に示すような記録モードの選択画面をディスプレイ７に表示することができる。
【０１０２】
ステップＳ２０２において、静電容量がタッチ判定閾値ＴＨ１以上となった箇所がＬｏｎｇボタン５７が表示されている領域に対応する場合に（Ｓ２０２：ＹＥＳ）、処理がステップＳ２０３に進む。
【０１０３】
ステップＳ２０３において、撮影制御部５は、カメラ６にロングビデオモード、かつ第２のアスペクト比で動画撮影させて、得られた動画のデータをメモリ８に記憶させることができる。
【０１０４】
ステップＳ２０４において、静電容量がタッチ判定閾値ＴＨ１以上となった箇所がＭＭＳ添付ボタン５８が表示されている領域に対応する場合に（Ｓ２０４：ＹＥＳ）、処理がステップＳ２０５に進む。
【０１０５】
ステップＳ２０５において、撮影制御部５は、カメラ６にＭＭＳ添付モード、かつ第２のアスペクト比で動画撮影させて、得られた動画のデータをメモリ８に記憶させることができる。
【０１０６】
以上のように、第２の実施形態によれば、撮影モードがビデオモードに設定されたときには、記録モードを選択する画面が表示される。ユーザがいずれかの記録モードボタンをタッチすることによって、タッチされた記録モードボタンに対応する記録モードで動画のデータを記録することができる。
【０１０７】
（変形例）
本開示は、上記の実施形態に限定されるものではなく、たとえば以下のような変形例を含む。
【０１０８】
（１）近接センサ
本開示では、タッチパネルの静電容量の変化によって、タッチパネル上のビデオ撮影ボタンまたはカメラ撮影ボタンに対応する箇所へのユーザの指先の近接またはタッチを検出したが、これに限定するものではない。たとえば、タッチパネル上のビデオ撮影ボタンまたはカメラ撮影ボタンに対応する箇所の近辺に赤外線センサなどの近接センサを設けて、ユーザの指先の近接を検出することとしてもよい。
【０１０９】
あるいは、スマートフォンが、感圧式のタッチパネルと静電容量式のタッチパネルの両方を備え、感圧式のタッチパネルへのユーザの指先のタッチと、静電容量式のタッチパネルへのユーザの指先の近接とを検出するものとしてもよい。
【０１１０】
（２）デフォルトのモード
本開示において、デフォルトの撮影モードをカメラモードとしたが、これに限定するものではなく、ビデオモードであってもよい。
【０１１１】
（３）カメラモードでのオートフォーカス処理の開始
撮影モードがカメラモードに設定されている場合に、撮影制御部は、カメラにオートフォーカス処理を開始させるようにしてもよい。これによって、カメラ撮影ボタンがタッチされる前からオートフォーカス処理が行われるので、カメラ撮影ボタンをタッチしてから静止画が撮影されるまでの時間を短縮することができる。
【０１１２】
今回開示された実施の形態はすべての点で例示であって制限的なものではないと考えられるべきである。本開示の範囲は上記した説明ではなくて特許請求の範囲によって示され、特許請求の範囲と均等の意味および範囲内でのすべての変更が含まれることが意図される。
【符号の説明】
【０１１３】
１  スマートフォン、２  タッチパネル、３  モード設定部、４  表示制御部、５  撮影制御部、６  カメラ、７  ディスプレイ、８  メモリ、９  スピーカ、１０  マイク、１１  タッチパネル制御部、１３  無線通信部、１４  アンテナ。
【図１】
2016187105.tif 000003
【図２】
2016187105.tif 000004
【図３】
2016187105.tif 000005
【図４】
2016187105.tif 000006
【図５】
2016187105.tif 000007
【図６】
2016187105.tif 000008
【図７】
2016187105.tif 000009
【図８】
2016187105.tif 000010
【図９】
2016187105.tif 000011
【図１０】
2016187105.tif 000012
【図１１】
2016187105.tif 000013
【図１２】
2016187105.tif 000014
【図１３】
2016187105.tif 000015
【図１４】
2016187105.tif 000016